(57)【要約】【課題】  材料の歩留まりを低下させることなく液圧成形し得る、重ね合わせ板材の液圧成形装置を提供する。【解決手段】  重ね合わせ板材の液圧成形装置３０は、金属板２１、２２を重ね合わせて縁部を接合した重ね合わせ板材２０からなる予備成形体１０の内部に、液圧を付与して膨出変形させることによって液圧成形品を得るために用いられる。重ね合わせ板材の液圧成形装置は、液圧成形品の形状に合致した形状の凹部４１ａ、４２ａが形成され、予備成形体が投入される金型４０と、予備成形体の内部に液圧を付与するための媒体を注入するノズル５０と、を有している。予備成形体は、金属板を重ね合わせる方向（ｙ軸）に対して直交する軸方向（ｘ軸）に向かって開口するとともにノズルを軸方向に沿って押し込むためのノズル押込部１１が予備成形されている。【選択図】図２
2006150382.tif 000002
【特許請求の範囲】
【請求項１】
金属板を重ね合わせて縁部を接合した重ね合わせ板材からなる予備成形体の内部に、液圧を付与して膨出変形させることによって液圧成形品を得るための重ね合わせ板材の液圧成形装置において、
液圧成形品の形状に合致した形状の凹部が形成され、前記予備成形体が投入される金型と、
前記予備成形体の内部に液圧を付与するための媒体を注入するノズルと、を有し、
前記予備成形体は、前記金属板を重ね合わせる方向に対して直交する軸方向に向かって開口するとともに前記ノズルを前記軸方向に沿って押し込むためのノズル押込部が予備成形されてなる重ね合わせ板材の液圧成形装置。
【請求項２】
前記ノズルは、少なくとも一対設けられ、
前記一対のノズルのうちの一方は、空気を前記予備成形体の内部から抜くことと、空気を前記予備成形体の内部に導くこととが可能に構成されていることを特徴とする請求項１に記載の重ね合わせ板材の液圧成形装置。
【請求項３】
前記ノズル押込部は、少なくとも一部分が、製品としての形状の一部を構成することを特徴とする請求項１または請求項２に記載の重ね合わせ板材の液圧成形装置。
【請求項４】
前記予備成形体は、前記ノズル押込部における前記重ね合わせ板材の境界部の端部のみに、前記ノズルが押し込まれる空間に向けて突出する予肉盛部が設けられていることを特徴とする請求項１または請求項２に記載の重ね合わせ板材の液圧成形装置。
【請求項５】
前記予肉盛部は、溶接肉盛、ロー付け肉盛、または樹脂材料の付加により形成されていることを特徴とする請求項４に記載の重ね合わせ板材の液圧成形装置。
【請求項６】
前記予肉盛部は、前記ノズルが押し込まれることによって削り取られ得る削落部と、押し込まれた前記ノズルに密着し得る残り部とを含んでいることを特徴とする請求項４に記載の重ね合わせ板材の液圧成形装置。
【請求項７】
前記ノズルは、前記予肉盛部の前記削落部を切除し得る切除部と、前記予肉盛部の前記残り部および前記ノズル押込部に密着し得る密着部とを含んでいることを特徴とする請求項４に記載の重ね合わせ板材の液圧成形装置。
【請求項８】
前記ノズルにおける前記密着部は、前記予備成形体の前記ノズル押込部の断面形状よりも大きい断面形状を有していることを特徴とする請求項７に記載の重ね合わせ板材の液圧成形装置。
【請求項９】
前記ノズルにおける前記密着部は、Ｏリングを含んでいることを特徴とする請求項７に記載の重ね合わせ板材の液圧成形装置。
【発明の詳細な説明】
【技術分野】
【０００１】
本発明は、重ね合わせ板材の液圧成形装置に関する。
【背景技術】
【０００２】
金属板を重ね合わせて縁部を接合した重ね合わせ板材を、液圧成形法により、金型の凹部形状に合致した液圧成形品に成形する技術が知られている（特許文献１参照）。液圧成形装置は、重ね合わせた金属板の間に内圧を付加する媒体（例えば、水などの液体）を注入するノズルを有している。
【０００３】
特許文献１に記載された技術では、金型が上型と下型とに分割され、凸状のノズルが下型に設けられている。重ね合わせ板材は、下型に接する金属板にノズルを挿通するための通孔が形成されている。上下型を締めることによって、ノズルは、通孔を通って、重ね合わせ板材の内部に差し込まれる。そして、ノズルから媒体を注入する。重ね合わせ板材は、液圧が付与され、金型の凹部に押し付けられて液圧成形品に成形される。その後、ノズルが差し込まれた部分を切除し、製品を得ている。
【特許文献１】特開２００４−８２１４２号公報（図４）
【発明の開示】
【発明が解決しようとする課題】
【０００４】
特許文献１に記載された技術では、液圧をシールするために、ノズル周辺部をきわめて高い圧力で、かつ、広い範囲にわたって押さえ付ける必要がある。しかしながら、押さえ付ける部位を製品寸法以上に大きくすると、材料の歩留まりを低下させることになる。このため、製品寸法以内で、液圧をシールする面積を確保しつつノズルを設けるためには、ノズルを小さくせざるを得ない。ノズルが小さくなるのに伴って、媒体の注入、排出をするための孔の径が小さくなる結果、媒体の注入、排出に時間を要してしまう。
【０００５】
媒体の注入、排出に要する時間を短縮するためにノズルを数多く設けることが考えられるが、この場合にも、製品外となる部分つまりは廃棄される部分が大きくなり、材料の歩留まりを低下させ、コストの上昇を招くという不具合がある。
【０００６】
本発明の目的は、材料の歩留まりを低下させることなく液圧成形し得る、重ね合わせ板材の液圧成形装置を提供することにある。
【課題を解決するための手段】
【０００７】
上記目的を達成する本発明は、金属板を重ね合わせて縁部を接合した重ね合わせ板材からなる予備成形体の内部に、液圧を付与して膨出変形させることによって液圧成形品を得るための重ね合わせ板材の液圧成形装置において、
液圧成形品の形状に合致した形状の凹部が形成され、前記予備成形体が投入される金型と、
前記予備成形体の内部に液圧を付与するための媒体を注入するノズルと、を有し、
前記予備成形体は、前記金属板を重ね合わせる方向に対して直交する軸方向に向かって開口するとともに前記ノズルを前記軸方向に沿って押し込むためのノズル押込部が予備成形されてなる重ね合わせ板材の液圧成形装置である。
【発明の効果】
【０００８】
金属板を重ね合わせる方向に対して直交する軸方向に向かって開口するノズル押込部を予備成形体に設け、金型とノズルとの間にノズル押込部を挟み込むことによって、液圧シールしている。さらに、ノズルを軸方向に沿ってノズル押込部に押し込むため、媒体を案内する通路部分を製品の外部に設ける必要がない。このため、２枚の金属板を挟み込んで液圧シールする形態に比べると、液圧成形後に切り捨てられる材料が少なくなり、材料の歩留まりの低下が抑えられ、製造コストの低減に寄与することが可能となる。
【発明を実施するための最良の形態】
【０００９】
以下、本発明の実施形態を図面を参照しつつ説明する。
【００１０】
（第１の実施形態）
図１（Ａ）〜（Ｃ）は、本発明の実施形態に係る予備成形体１０を示す上面図、正面図、側面図、図１（Ｄ）は、図１（Ｃ）におけるＤ部の拡大図であり、ノズル押込部１１における重ね合わせ板材２０の境界部２３を拡大して示す断面図である。図２〜図４は、本発明の実施形態に係る重ね合わせ板材の液圧成形装置３０の要部を示す断面図であり、図２は、予備成形体１０を金型４０内に投入した状態を示し、図３は、ノズル押込部１１にノズル５０を押し込んだ状態を示し、図４は、予備成形体１０を液圧成形した状態を示している。図５（Ａ）は、図３の５Ａ−５Ａ線に沿う断面図、図５（Ｂ）は、ノズル５０の外形形状と予備成形体１０の内径形状との関係の説明に供する断面図、図６は、予備成形体１０を膨出変形させてなる液圧成形品６０の一例を示す図である。
【００１１】
重ね合わせ板材の液圧成形装置３０は、図１に示される予備成形体１０の内部に、液圧を付与して膨出変形させることによって、図６に示される液圧成形品６０を得るために使用される。予備成形体１０は、金属板２１、２２を重ね合わせて縁部を接合した重ね合わせ板材２０からなる。図２を参照して、重ね合わせ板材の液圧成形装置３０は、概説すれば、液圧成形品６０の形状に合致した形状の凹部４１ａ、４２ａが形成され予備成形体１０が投入される金型４０と、予備成形体１０の内部に液圧を付与するための媒体（例えば、水などの液体）を注入するノズル５０（ノズル５１、５２の総称）と、を有している。予備成形体１０は、金属板２１、２２を重ね合わせる方向に対して直交する軸方向に向かって開口するとともにノズル５０を軸方向に沿って押し込むためのノズル押込部１１が予備成形されている。図示する実施形態にあっては、ノズル５０は、金型４０の両側に一対設けられ、ノズル押込部１１は、ノズル５０の個数に対応して、一対設けられている。
【００１２】
なお、図１および図２に示されるｙ軸は金属板２１、２２を重ね合わせる方向を示し、ｘ軸は金属板２１、２２を重ね合わせる方向（ｙ軸）に対して直交する軸方向を示している。図示例では、ｘ軸は、金属板２１、２２、重ね合わせ板材２０、および予備成形体１０のそれぞれにおける長手方向にも相当している。以下、詳述する。
【００１３】
図１を参照して、予備成形体１０は、２枚の金属板である上板２１と下板２２とを含んでいる。金属板２１、２２の材料は、特に限定されるものではないが、例えば、アルミ合金やステンレス鋼などである。上板２１および下板２２のそれぞれは、長手方向（ｘ軸）の略中央部分が平板形状を有し、長手方向（ｘ軸）の両端部に向けて断面半円形状に滑らかに拡開された形状を有している。この形状は、プレス加工により予め付与されている。上板２１と下板２２とを重ね合わせ、重ね合わさった縁部を溶接により接合することによって、重ね合わせ板材２０が形成される。溶接は縁部の全周にわたって施され、全周溶接部２５が形成されている。溶接は、レーザ溶接やプラズマ溶接などによる貫通溶接のほか、アーク溶接により上下板２１、２２の端部を全周溶接しても良い。また、抵抗溶接の連続溶接であるシーム溶接を用いても良い。いずれにしても、連続溶接可能な溶接法によって、全周溶接部２５を形成すればよい。重ね合わせ板材２０からなる予備成形体１０は、その長手方向（ｘ軸）の両端部に、軸方向（ｘ軸）に向かって開口するとともに断面円形状を有する開口部が予備成形されることになる。この開口部が、ノズル５０を軸方向（ｘ軸）に沿って押し込むためのノズル押込部１１となる。
【００１４】
予備成形体１０の長手方向（ｘ軸）の両端部のそれぞれにノズル押込部１１が予備成形されるため、一対のノズル押込部１１は向かい合って配置されている。
【００１５】
ノズル押込部１１は、少なくとも一部分が、製品としての形状の一部を構成している。製品外となる部分つまりは廃棄される部分を小さくするためである。
【００１６】
図１（Ｄ）に拡大して示すように、予備成形体１０は、ノズル押込部１１における重ね合わせ板材２０の境界部２３の端部のみに、ノズル５０が押し込まれる空間に向けて突出する予肉盛部２４が設けられている。予肉盛部２４は端部のみに設けてあるので、肉盛作業を極めて容易に行うことができる。
【００１７】
予肉盛部２４は、溶接肉盛、ロー付け肉盛、または樹脂材料の付加により形成されている。これにより、予肉盛部２４の種類や材料を自由に選択できる。
【００１８】
予肉盛部２４は、ノズル５０が押し込まれることによって削り取られ得る削落部２４ａと、押し込まれたノズル５０の外周面に密着し得る残り部２４ｂとを含んでいる。図５（Ａ）には、ノズル５０が押し込まれることによって予肉盛部２４の削落部２４ａが削り取られ、押し込まれたノズル５０に残り部２４ｂが密着した状態が示される。ノズル５０がノズル押込部１１に押し込まれたときには、残り部２４ｂがノズル５０に密着するため、重ね合わせ板材２０からなる予備成形体１０の軸方向（ｘ軸）からノズル５０を挿入しても、重ね合わせ板材２０の境界部２３からの液漏れを防止できる。
【００１９】
図２を参照して、金型４０は、上下に分割された上型４１と下型４２とを含んでいる。上型４１は、下型４２に対して相対的に接近離反移動自在に設けられている。上下型４１、４２のそれぞれに、液圧成形品６０の形状に合致した形状の凹部４１ａ、４２ａないしキャビティが形成されている。また、上型４１および下型４２のそれぞれは、合わせ面の端部が断面半円形状に形成されている。上下型４１、４２を閉じると、合わせ面の端部に、断面円形状を有するとともにノズル押込部１１を保持する保持部４１ｂ、４２ｂが形成される。上下型４１、４２を型締めすることにより、予備成形体１０の外周縁部が押さえ付けられ、保持部４１ｂ、４２ｂによりノズル押込部１１が押さえ付けられる。図示しない型締め機構に供給される油圧を調整することにより、上下型４１、４２間のクリアランスが調整され、上下型４１、４２による板押え圧が制御される。
【００２０】
前記ノズル５０は、図示しない液圧発生装置から高圧ホース５５を介して媒体が供給され、この媒体を、注入口５６から予備成形体１０の内部に注入する。ノズル５０は、図示しない軸押しシリンダに取り付けられ、予備成形体１０のノズル押込部１１と同軸上に配置されている。軸押しシリンダは、油圧などにより駆動される流体圧シリンダから構成されている。ノズル５０は、軸押しシリンダによって予備成形体１０に向けて移動駆動され、ノズル押込部１１に押し込まれる。ノズル５０は、液圧成形時にも、軸押しシリンダによって押圧される。これにより、予備成形体１０が両側から押圧され、膨出変形に要する材料の供給がなされる。
【００２１】
一対のノズル５０のうちの少なくとも一方（図示例では、ノズル５１）は、媒体の注入に加えて、空気を予備成形体１０の内部から抜くことと、空気を予備成形体１０の内部に導くこととが可能に構成されている。例えば、一方のノズル５１に、媒体を注入する経路と、空気が流通する経路とを接続するとともに、両経路を選択的に切り替える制御バルブが配置されている。制御バルブは、コントローラによって作動が接続される。なお、一方のノズル５１を、空気を予備成形体１０の内部から抜いたり、空気を予備成形体１０の内部に導いたりするためだけに設けても良い。
【００２２】
ノズル５０は、予肉盛部２４の削落部２４ａを切除し得る切除部５３と、予肉盛部２４の残り部２４ｂおよびノズル押込部１１の内面に密着し得る密着部５４とを含んでいる。さらに詳しくは、ノズル５０の先端には、先細りとなったテーパ部５３（切除部に相当する）と、テーパ部５３に連続する大径部５４（密着部に相当する）とが形成されている。テーパ部５３の一部がノズル押込部１１の内面を擦ることによって、予肉盛部２４の削落部２４ａが切除される。大径部５４は、予肉盛部２４の残り部２４ｂおよびノズル押込部１１の内面に密着する。このようにノズル５０をノズル押込部１１に押し込むだけで、予肉盛部２４の一部を削り取って、ノズル５０とノズル押込部１１との間からの液漏れをなくし、確実な液圧シールを行うことが可能となる。
【００２３】
ノズル５０における密着部５４は、予備成形体１０のノズル押込部１１の断面形状よりも大きい断面形状を有していることが好ましい。ノズル５０をノズル押込部１１に挿入したときに、予備成形体１０の板厚を僅かに削り取るため、極めて高い密着状態となり、液漏れを確実に防止することができるからである。
【００２４】
次に、作用を説明する。
【００２５】
図２に示すように、上下型４１、４２の間に図１に示される予備成形体１０を投入し、上下型４１、４２を閉じる。図示しない型締め機構によって上下型４１、４２を型締めすると、予備成形体１０の外周縁部が押さえ付けられ、ノズル押込部１１が保持部４１ｂ、４２ｂにより押さえ付けられる。ノズル５０は、予備成形体１０のノズル押込部１１と同軸上に配置される。
【００２６】
次いで、図３に示すように、図示しない軸押しシリンダによって、ノズル５０を予備成形体１０に向けて移動駆動し、ノズル押込部１１に押し込む。ノズル５０を押し込むときに、ノズル５０におけるテーパ部５３の一部がノズル押込部１１の内面を擦ることによって、予肉盛部２４の削落部２４ａが切除される。ノズル５０にテーパ部５３のような段差を設けておくだけで、削落部２４ａを簡単に切除することができる。このとき、重ね合わせ板材２０の境界部２３の端部には、予肉盛部２４の残り部２４ｂが残存し、ノズル５０の外周面に密着する（図５（Ａ）参照）。さらに、ノズル５０における大径部５４が予備成形体１０の板厚を僅かに削り取ることによって、金型４０の保持部４１ｂ、４２ｂとノズル５０との間にノズル押込部１１が挟み込まれ、ノズル５０における大径部５４がノズル押込部１１の内面に十分に密着する（図５（Ｂ）参照）。
【００２７】
その後、図示しない液圧発生装置から高圧ホース５５を介してノズル５０に媒体を供給し、この媒体を、注入口５６から予備成形体１０の内部に注入する。上述したように、ノズル５０の大径部５４は、ノズル押込部１１の内面に十分に密着し、さらに、重ね合わせ板材２０の境界部２３の端部に残存する予肉盛部２４の残り部２４ｂにも十分に密着することから、液漏れを確実に防止することができる。
【００２８】
媒体を注入する初期段階においては、一方のノズル５１は、媒体を注入せず、空気を予備成形体１０の内部から抜いている。一対のノズル押込部１１が向かい合って配置されているため、一対のノズル５０も向かい合って配置されることになる。したがって、一対のノズル５０によって、媒体の注入と、空気の抜き取りとを効率的に行うことができ、予備成形体１０に内圧を迅速に付与することができ、成形時間の短縮を図ることができる。予備成形体１０の内部から空気を抜き取った後は、一方のノズル５１からも媒体を注入する。
【００２９】
図４に示すように、液圧をさらに付与すると、予備成形体１０は、膨出変形し、上下型４１、４２の凹部４１ａ、４２ａ内面に押し付けられて成形される。この液圧成形時には、ノズル５０が軸押しシリンダによって押圧され、予備成形体１０を両側から押圧することによって、膨出変形に要する材料の供給を行う。
【００３０】
予備成形体１０の膨出変形が完了すると、媒体の注入を停止し、予備成形体１０の内部から媒体を排出する。媒体排出時においては、一方のノズル５１から、空気を予備成形体１０の内部に導く。このようにすれば、一方のノズル５１が空気孔となり、他方のノズル５２から媒体を簡単かつ迅速に排出することができる。さらに、一対のノズル５０が向かい合って配置されているため、一方のノズル５１側が他方のノズル５２側よりも高くなるように液圧成形品６０を傾斜させるだけで、他方のノズル５２から媒体を簡単かつ迅速に排出することができる。
【００３１】
媒体の排出が終了した後、上下型４１、４２を開いて、図６に示される液圧成形品６０を下型４２から取り出す。この液圧成形品６０を製品としての形状に加工し、最終的な製品を得る。
【００３２】
金属板に形成した通孔を通してノズルを重ね合わせ板材の内部に差し込む形態では、ノズル周辺を液圧シールするために２枚の金属板を挟み込む必要がある。このため、挟み込まれた金属板、および挟み込んだ部分から製品部分に連通するゲート部（媒体を案内する通路部分）を構成する金属板は、液圧成形後に切り捨てられる材料になる。したがって、材料の歩留まりが著しく低下する。
【００３３】
これに対して本実施形態では、金属板２１、２２を重ね合わせる方向（ｙ軸）に対して直交する軸方向（ｘ軸）に向かって開口するノズル押込部１１を予備成形体１０に設け、金型４０の保持部４１ｂ、４２ｂとノズル５０との間にノズル押込部１１を挟み込むことによって、液圧シールしている。さらに、ノズル５０を軸方向（ｘ軸）に沿ってノズル押込部１１に押し込むため、ゲート部（媒体を案内する通路部分）を製品の外部に設ける必要がない。このため、２枚の金属板を挟み込んで液圧シールする形態に比べると、液圧成形後に切り捨てられる材料が少なくなり、材料の歩留まりの低下が抑えられ、製造コストの低減に寄与することが可能となる。
【００３４】
しかも、ノズル押込部１１は、少なくとも一部分が、製品としての形状の一部を構成している。このため、製品外となる部分つまりは廃棄される部分が一層小さくなり、材料の歩留まりがさらに向上し、コストの上昇を抑えることができる。
【００３５】
また、一対のノズル押込部１１が向かい合って配置され、一対のノズル５０も向かい合って配置されており、一方のノズル５１が、空気を予備成形体１０の内部から抜くことと、空気を予備成形体１０の内部に導くこととが可能に構成されているので、媒体を注入する初期段階には空気抜きを行い、媒体排出時には空気孔の機能を提供できる。したがって、媒体の注入および排出を迅速に行い、液圧成形に要する一連の時間を短縮することが可能となる。しかも、一対のノズル５０が向かい合って配置されているので、液圧成形品６０を傾斜させるだけで媒体を容易に排出することもできる。
【００３６】
（第２の実施形態）
図７は、第２の実施形態の要部を示す断面図である。
【００３７】
第２の実施形態のノズル５７は、第１の実施形態のノズル５０と同様に、予肉盛部２４の削落部２４ａを切除し得る切除部をなすテーパ部５３と、予肉盛部２４の残り部２４ｂおよびノズル押込部１１の内面に密着し得る密着部５８とを含んでいる。第２の実施形態では、ノズル５０における密着部５８は、Ｏリング５９を含んでいる。さらに詳しくは、密着部５８は、ノズル押込部１１の内径寸法よりも僅かに小さい外径寸法を有している。密着部５８の外周には、リング溝５８ａが形成され、このリング溝５８ａにＯリング５９が嵌め込まれている。
【００３８】
ノズル５７がノズル押込部１１に押し込まれると、テーパ部５３の一部がノズル押込部１１の内面を擦ることによって、予肉盛部２４の削落部２４ａが切除される。さらに、密着部５８に設けたＯリング５９が、予肉盛部２４の残り部２４ｂおよびノズル押込部１１の内面に密着する。これにより、予備成形体１０の板厚を僅かに削り取らなくても、重ね合わせ板材２０の境界部２３などから液漏れがなく、所定の液圧成形を実施することが可能となる。
【００３９】
（その他の変形例）
ノズル押込部１１が長手方向（ｘ軸）の端部に設けられた予備成形体１０を図示したが、予備成形体１０は、ノズル押込部１１が短手方向の端部に設けられたものでもよい。
【００４０】
一対のノズル押込部１１が向かい合って配置されている予備成形体１０を示したが、予備成形体１０は、ノズル押込部１１が少なくとも一対実質的に向かい合って配置されていればよい。ここに、「実質的に向かい合って配置されている」とは、少なくとも一対のノズル押込部１１が幾何的に向かい合っている必要はなく、少なくとも一対のノズル５０によって、媒体を注入する初期段階には空気抜きを行うことができ、媒体排出時には空気孔の機能を提供できるように、ノズル押込部１１が位置していれば足りることを意味している。
【図面の簡単な説明】
【００４１】
【図１】図１（Ａ）〜（Ｃ）は、本発明の実施形態に係る予備成形体を示す上面図、正面図、側面図、図１（Ｄ）は、図１（Ｃ）におけるＤ部の拡大図であり、ノズル押込部における重ね合わせ板材の境界部を拡大して示す断面図である。
【図２】本発明の実施形態に係る重ね合わせ板材の液圧成形装置の要部を、予備成形体を金型内に投入した状態で示す断面図である。
【図３】本発明の実施形態に係る重ね合わせ板材の液圧成形装置の要部を、ノズル押込部にノズルを押し込んだ状態で示す断面図である。
【図４】本発明の実施形態に係る重ね合わせ板材の液圧成形装置の要部を、予備成形体を液圧成形した状態で示す断面図である。
【図５】図５（Ａ）は、図３の５Ａ−５Ａ線に沿う断面図、図５（Ｂ）は、ノズルの外形形状と予備成形体の内径形状との関係の説明に供する断面図である。
【図６】予備成形体を膨出変形させてなる液圧成形品の一例を示す図である。
【図７】第２の実施形態の要部を示す断面図である。
【符号の説明】
【００４２】
１０    予備成形体、
１１    ノズル押込部、
２０    重ね合わせ板材、
２１    上板（金属板）、
２２    下板（金属板）、
２３    重ね合わせ板材の境界部、
２４    予肉盛部、
２４ａ  削落部、
２４ｂ  残り部、
２５    全周溶接部、
３０    重ね合わせ板材の液圧成形装置、
４０    金型、
４１    上型、
４１ａ  凹部、
４２    下型、
４２ａ  凹部、
５０    ノズル（ノズル５１、５２の総称）、
５１    一方のノズル、
５２    他方のノズル、
５３    テーパ部（切除部）、
５４    大径部（密着部）、
５５    高圧ホース、
５６    注入口、
５７    ノズル、
５８    密着部、
５９    Ｏリング、
６０    液圧成形品、
ｙ軸    金属板を重ね合わせる方向、
ｘ軸    金属板を重ね合わせる方向（ｙ軸）に対して直交する軸方向。
【図１】
2006150382.tif 000003
【図２】
2006150382.tif 000004
【図３】
2006150382.tif 000005
【図４】
2006150382.tif 000006
【図５】
2006150382.tif 000007
【図６】
2006150382.tif 000008
【図７】
2006150382.tif 000009